(57)【要約】      （修正有）【課題】目地部が狭くなると可動壁目地プレートが通路側へ平行移動して突出を防止して、安全に使用することができる通路用壁目地装置を提供する。【解決手段】他方の通路に固定された先端部が傾斜面で一方の建物側へ突出する固定壁目地プレート８と、一方の建物の外壁面にスライド移動できるように取付けられたスライドフレーム１３に固定され先端部が固定壁目地プレートの先端部と当接し、目地部が狭くなると該固定壁目地プレートに乗り上げるような傾斜面に形成された可動壁目地プレート１５と、この可動壁目地プレートと固定壁目地プレートの背面を覆う隙間防止プレート１６と、この隙間防止プレートを中央部で枢支し、一端部を他方の建物に枢支し、他端部を前記スライドフレームに枢支された少なくとも一対以上の中央維持装置２０と、可動壁目地プレートを常時隙間防止プレートに当接する付勢スプリング２１とで通路用壁目地装置を構成する。【選択図】図１
2010126981.tif 000002
【特許請求の範囲】
【請求項１】
目地部を介して設けられた左右の建物の一方の建物の目地部側に開口するように形成された一方の通路と、この一方の通路と対応する他方の建物の目地部側に設けられた渡り通路あるいは他方の通路と、この渡り通路あるいは他方の通路の側壁の躯体に固定された先端部が傾斜面で、前記一方の建物側へ突出する固定壁目地プレートと、前記一方の通路が形成された一方の建物の目地部側の外壁面に固定されたガイドレールと、このガイドレールに沿ってスライド移動できるように取付けられたスライドフレームと、このスライドフレームに後端部が固定された先端部が前記固定壁目地プレートの先端部と当接し、目地部が狭くなると該固定壁目地プレートに乗り上げるような傾斜面に形成された可動壁目地プレートと、この可動壁目地プレートと前記固定壁目地プレートの背面を覆う隙間防止プレートと、この隙間防止プレートを中央部で枢支し、一端部を前記他方の建物の渡り通路あるいは他方の通路の側壁に枢支し、他端部を前記スライドフレームに、該スライドフレームのスライド方向と同方向に可動壁目地プレートの厚さ寸法だけスライド移動可能に枢支された少なくとも一対以上の中央維持装置と、前記可動壁目地プレートを常時前記隙間防止プレートに当接するように付勢する付勢スプリングとで構成されていることを特徴とする通路用壁目地装置。
【請求項２】
固定壁目地プレート、可動壁目地プレートおよび隙間防止プレートの幅寸法は目地部の幅寸法の半分に形成されていることを特徴とする請求項1記載の通路用壁目地装置。
【請求項３】
一方の建物に設けられた一方の通路と、他方の建物に設けられた渡り通路あるいは他方の通路の両側部の壁躯体に固定壁目地プレート、可動壁目地プレート、隙間防止プレートが設けられていることを特徴とする請求項1記載の通路用壁目地装置。
【発明の詳細な説明】
【技術分野】
【０００１】
本発明は目地部を介して設けられた左右の建物を連通する渡り通路や外側渡り通路に設けられる通路用壁目地装置に関する。
【背景技術】
【０００２】
この種の通路用壁目地装置は、通常状態で壁面が段差になるものや、通常状態は平面状態であるが、目地部が狭くなると通路側へ先端部が突出して、その揺れ動きを吸収するものが考えられ、使用されている。
【０００３】
しかしながら、前者の壁面に段差が生じるものは、美観が損なわれるという欠点があり、後者の通路側へ先端部が突出するものは危険であるという欠点があった。
【特許文献１】特許第３６９４６５７号
【特許文献２】特許第３６９１７７７号
【発明の開示】
【発明が解決しようとする課題】
【０００４】
本発明は以上のような従来の欠点に鑑み、通常状態では平面状態で美観を損なうことがなく、目地部が狭くなると可動壁目地プレートが通路側へ平行移動して危険な状態での突出を防止して、安全に使用することができる通路用壁目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の一方の建物の目地部側に開口するように形成された一方の通路と、この一方の通路と対応する他方の建物の目地部側に設けられた渡り通路あるいは他方の通路と、この渡り通路あるいは他方の通路の側壁の躯体に固定された先端部が傾斜面で、前記一方の建物側へ突出する固定壁目地プレートと、前記一方の通路が形成された一方の建物の目地部側の外壁面に固定されたガイドレールと、このガイドレールに沿ってスライド移動できるように取付けられたスライドフレームと、このスライドフレームに後端部が固定された先端部が前記固定壁目地プレートの先端部と当接し、目地部が狭くなると該固定壁目地プレートに乗り上げるような傾斜面に形成された可動壁目地プレートと、この可動壁目地プレートと前記固定壁目地プレートの背面を覆う隙間防止プレートと、この隙間防止プレートを中央部で枢支し、一端部を前記他方の建物の渡り通路あるいは他方の通路の側壁に枢支し、他端部を前記スライドフレームに、該スライドフレームのスライド方向と同方向に可動壁目地プレートの厚さ寸法だけスライド移動可能に枢支された少なくとも一対以上の中央維持装置と、前記可動壁目地プレートを常時前記隙間防止プレートに当接するように付勢する付勢スプリングとで通路用壁目地装置を構成している。
【発明の効果】
【０００７】
以上の説明から明らかなように、本発明にあっては次に列挙する効果が得られる。
【０００８】
（１）渡り通路あるいは他方の通路の側壁の躯体に固定された先端部が傾斜面で、一方の建物側へ突出する固定壁目地プレートと、一方の通路が形成された一方の建物の目地部側の外壁面に固定されたガイドレールと、このガイドレールに沿ってスライド移動できるように取付けられたスライドフレームと、このスライドフレームに後端部が固定された先端部が固定壁目地プレートの先端部と当接し、目地部が狭くなると該固定壁目地プレートに乗り上げるような傾斜面に形成された可動壁目地プレートと、この可動壁目地プレートと固定壁目地プレートの背面を覆う隙間防止プレートと、この隙間防止プレートを中央部で枢支し、一端部を他方の建物の渡り通路あるいは他方の通路の側壁に枢支し、他端部を前記スライドフレームに、該スライドフレームのスライド方向と同方向に可動壁目地プレートの厚さ寸法だけスライド移動可能に枢支された少なくとも一対以上の中央維持装置と、可動壁目地プレートを常時前記隙間防止プレートに当接するように付勢する付勢スプリングとで構成されているので、通常時には目地部を固定壁目地プレートと可動壁目地プレートを平面状態に位置させることができる。
したがって、美観の向上を図ることができる。
【０００９】
（２）前記（１）によって、目地部が狭くなるように揺れ動くと、固定壁目地プレートに重なり合うように可動壁目地プレートが位置し、従来のように可動壁目地プレートの先端部が通路側へ突出して危険になるのを効率よく防止することができる。
【００１０】
（３）前記（１）によって、異なる前後方向に揺れ動いた場合、可動壁目地プレートとスライドフレームが前後方向にスライド移動して、その揺れ動きを吸収することができる。
したがって、従来のように可動壁目地プレートの動きによって、床目地部に隙間が生じたりする不具合を確実に阻止することができる。
【００１１】
（４）前記（１） により、隙間防止プレートによって固定壁目地プレートの先端部と可動壁目地プレートの先端部間に生じる隙間を覆うことができ、安全に使用することができる。
【００１２】
（５）前記（１）によって、中央維持装置と付勢スプリングによって、固定壁目地プレートと平面状態に可動壁目地プレートを位置させるとともに、揺れ動きが停止すると元の状態へ自動的に戻すことができる。
【００１３】
（６）請求項２も前記（１）〜（５）と同様な効果が得られるとともに、目地部の幅寸法のほぼ半分の寸法の揺れ動きを吸収することができる。
【００１４】
（７）請求項３も前記（１）〜（５）と同様な効果が得られるとともに、渡り通路の両側に壁躯体が位置する部分にも設置することができる。
【発明を実施するための最良の形態】
【００１５】
以下、図面に示す本発明を実施するための最良の形態により、本発明を詳細に説明する。
【００１６】
図１ないし図９に示す本発明を実施するための最良の第１の形態において、１は目地部２を介して設けられた左右の建物３、３を接続する渡り通路4に設置される本発明の通路用壁目地装置で、この通路用壁目地装置1は前記左右の建物３、３の一方の建物３の目地部２側に開口するように形成された一方の通路用開口部５と、この一方の通路用開口部５と対応する他方の建物３の目地部側に突出するように設けられた少なくとも両側壁躯体４ａ、４ａを有する渡り通路４と、この渡り通路４の両側壁躯体４ａ、４ａにアングル材の取付金具６で固定された先端部が傾斜面７で、前記一方の建物３側へ突出する内壁面８ａがほぼ該側壁躯体４ａ、４ａの内壁面と同一面となる目地部２の幅寸法の半分の幅寸法の一対の固定壁目地プレート８、８と、前記一方の通路用開口部５の両側部の外壁面３ａに固定された該一方の通路用開口部５側が開口するコ字状の一対のガイドレール９、９と、この一対のガイドレール９、９に沿ってスライド移動できるように取付けられた、下部に複数個のローラー１０を有する格子枠のフレーム１１にカバー板１２を固定した一対のスライドフレーム１３、１３と、この一対のスライドフレーム１３、１３の前記一方の通路用開口部５側の端部に後端部が固定され、ほぼ直角状態に配置される前端部が前記一対の固定壁目地プレート８、８の先端部と当接し、目地部２が狭くなると該一対の固定壁目地プレート８、８に乗り上げるような傾斜面１４、１４に形成された固定壁目地プレート８、８とほぼ同じ幅寸法の一対の可動壁目地プレート１５、１５と、この一対の可動壁目地プレート１５、１５と前記一対の固定壁目地プレート８、８の背面を覆う、該固定壁目地プレート８、８と同じ幅寸法の一対の隙間防止プレート１６、１６と、この一対の隙間防止プレート１６、１６の中央部を中央枢支ピン１７、１７で枢支し、一端部を前記一対の固定壁目地プレート８、８を固定している取付金具６、６に枢支ピン１８、１８で枢支し、他端部を前記一対のスライドフレーム１３、１３の前記一方の通路用開口部５側に前記一対の可動壁目地プレート１５、１５の厚さ寸法分だけスライド移動できるように、チャンネル状の枢支ピン１９、１９で枢支された少なくとも一対以上の中央維持装置２０、２０と、前記一対の可動壁目地プレート１５、１５を常時前記一対の隙間防止プレート１６、１６に当接するように付勢する一端部が一対の可動壁目地プレート１５、１５に取付けられ、他端部が前記一対のガイドレール９、９の後端部に取付けられた複数対の付勢スプリング２１、２１とで構成されている。
【００１７】
なお、２２は床用目地装置で、この床用目地装置２２は前記一方の通路用開口部５の目地部側の外壁面に前記一対のガイドレール９、９の下部ガイドレール９ａ、９ａと接続する床支持レール２３が設けられ、該床支持レール２３に複数個のローラー２４を介してスライド移動可能な床目地プレート２５が前記渡り通路４の目地部側床面に左右方向の移動が可能で、前後方向の移動が不能に取付けられている。
【００１８】
前記中央維持装置２０は図５に示すように、四角枠形状のリンク２６と、このリンク２６の一方の対向するアーム２６ａ、２６ａのほぼ中央部に両端部が枢支ピン２７、２７で枢支された中央に中央枢支ピン挿入孔２８が形成された中央アーム２９と、前記リンク２６の両端部の枢支部３０、３０に枢支された枢支ピン１８およびチャンネル状の枢支ピン１９とで構成されている。
【００１９】
上記構成の通路用壁目地装置1は、通常状態では図1に示すように一方の通路用開口部５の側壁５ａ、５ａと渡り通路4の両側壁４ａ、４ａとが同一平面となるように一対の固定壁目地プレート８、  8と一対の可動壁目地プレート１５、１５とで渡り通路となる側壁を覆っている。この状態では中央維持装置２０、２０によって一対の隙間防止プレート１６、16を一対の固定壁目地プレート８、８に当接するように取付けられているため、一対の可動壁目地プレート１５、１５は付勢スプリング２１、２１の付勢力で一対の隙間防止プレート１６、１６に押し圧された状態となっている。
【００２０】
地震によって左右の建物３、３が、目地部２が広くなるように左右方向に揺れ動いた場合、図６に示すように床用目地プレート２５の先端部が渡り通路４の床面をスライド移動するとともに、一対の固定壁目地プレート８、８と一対の可動壁目地プレート１５、１５が離れるように移動するが、この離れて生じる隙間が目地部２の中央部に位置される中央維持装置２０、２０で支持される隙間防止プレート１６、１６で覆われているため、隙間が生じるのが防止される。
目地部２が狭くなるように左右方向に揺れ動いた場合、図７に示すように床用目地プレート２５の先端部が渡り通路４の床面をスライド移動するとともに、一対の固定壁目地プレート８、８の先端部の傾斜面７、７によって、一対の可動壁目地プレート１５、１５を付勢スプリング２１、２１の付勢力に抗してチャンネル状の枢支ピン１９、１９に沿って渡り通路４内へ全体が内側へ平行移動するようにスライド移動して、その揺れ動きを吸収する。
なお、揺れ動きが停止すると、図１に示すように自動的に元の状態へ戻る。
地震により左右の建物３、３が異なる前後方向に揺れ動いた場合、図８および図９に示すように一対の可動壁目地プレート１５、１５は一対の固定壁目地プレート８、８と一対の隙間防止プレート１６、１６によって、一対のガイドレール９、９に一対のスライドフレーム１３、１３を介して、前後方向にスライド移動して、その揺れ動きを吸収することができる。
[発明を実施するための異なる形態]
【００２１】
次に、図１０ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１０ないし図１２に示す本発明を実施するための第２の形態において、前記本発明を実施するための最良の第１の形態と主に異なる点は、左右の建物３、３の外側に手摺３１、３１が設けられた外側通路３２部分の一方の建物３の目地部側外壁面３ａにガイドレール９、スライドフレーム１３および可動壁目地プレート１５を設けるとともに、他方の建物３の外側通路３２の目地部側外壁面３ａに固定壁目地プレート８を固定した点で、このように構成した通路用壁目地装置１Ａにしても、前記本発明を実施するための最良の第１の形態と同様な作用効果が得られる。
【００２３】
図１３ないし図１５に示す本発明を実施するための第３の形態において、前記本発明を実施するための最良の第１の形態と主に異なる点は、左右の建物３、３の対向する部位に通路用開口部５、５が形成された部位に取付けた点で、このように構成した通路用壁目地装置１Ｂにしても、前記本発明を実施するための最良の第１の形態と同様な作用効果が得られる。
【００２４】
図１６ないし図１８に示す本発明を実施するための第４の形態において、前記本発明を実施するための第３の形態と主に異なる点は、リンク２６、２６の他端部を可動壁目地プレート１５、１５の後端部に固定された、該リンク２６、２６の他端部を可動壁目地プレート１５、１５の厚さ寸法分だけスライド移動させることができる頭部３３、３３を有する枢支ピン３４、３４を使用した中央維持装置２０Ａ、２０Ａを用いた点で、このような中央維持装置２０Ａ、２０Ａを用いて構成した通路用壁目地装置１Ｃにしても、前記本発明を実施するための第３の形態と同様な作用効果が得られる。
【００２５】
なお、本発明を実施するための各形態では渡り通路４や外側通路３２の上面が開口しているものについて説明したが、本発明はこれに限らず、渡り通路４や外側通路３２の上面に天井や天井カバーが設けられたものにでも同様に設置することができる。
【産業上の利用可能性】
【００２６】
本発明は通路用壁目地装置を製造する産業で利用される。
【図面の簡単な説明】
【００２７】
【図１】本発明を実施するための最良の第１の形態の平面図。
【図２】本発明を実施するための最良の第１の形態の正面図。
【図３】図１の３−３線に沿う断面図。
【図４】図１の４−４線に沿う断面図。
【図５】本発明を実施するための最良の第１の形態の中央維持装置の説明図。
【図６】本発明を実施するための最良の第１の形態の目地部が広くなった動作説明図。
【図７】本発明を実施するための最良の第１の形態の目地部が狭くなった動作説明図。
【図８】本発明を実施するための最良の第１の形態の異なる前後方向の一方の動作説明図。
【図９】本発明を実施するための最良の第１の形態の異なる前後方向の他方の動作説明図。
【図１０】本発明を実施するための第２の形態の平面図。
【図１１】本発明を実施するための第２の形態の正面図。
【図１２】図１０の１２−１２線に沿う断面図。
【図１３】本発明を実施するための第３の形態の平面図。
【図１４】本発明を実施するための第３の形態の正面図。
【図１５】図１３の１５−１５線に沿う断面図。
【図１６】本発明を実施するための第４の形態の平面図。
【図１７】本発明を実施するための第４の形態の正面図。
【図１８】本発明を実施するための第４の形態の中央維持装置の説明図。
【符号の説明】
【００２８】
１、１Ａ、１Ｂ、１Ｃ：通路用壁目地装置、
２：目地部、                  ３：建物、
４：渡り通路、                ５：一方の通路用開口部、            
６：取付金具、                ７：傾斜面、
８：固定壁目地プレート、      ９：ガイドレール、
１０：ローラー、              １１：フレーム、
１２：カバー板、              １３：スライドフレーム、            
１４：傾斜面、                １５：可動壁目地プレート、
１６：隙間防止プレート、      １７：中央枢支ピン、
１８：枢支ピン、              １９：枢支ピン、
２０、２０Ａ：中央維持装置、  ２１：付勢スプリング、
２２：床用目地装置、          ２３：床支持レール、
２４：ローラー、              ２５：床目地プレート、
２６：リンク、                ２７：枢支ピン、
２８：中央枢支ピン挿入孔、    ２９：中央アーム、
３０：枢支部、                ３１：手摺、
３２：外側通路、              ３３：頭部、
３４：枢支ピン。
【図１】
2010126981.tif 000003
【図２】
2010126981.tif 000004
【図３】
2010126981.tif 000005
【図４】
2010126981.tif 000006
【図５】
2010126981.tif 000007
【図６】
2010126981.tif 000008
【図７】
2010126981.tif 000009
【図８】
2010126981.tif 000010
【図９】
2010126981.tif 000011
【図１０】
2010126981.tif 000012
【図１１】
2010126981.tif 000013
【図１２】
2010126981.tif 000014
【図１３】
2010126981.tif 000015
【図１４】
2010126981.tif 000016
【図１５】
2010126981.tif 000017
【図１６】
2010126981.tif 000018
【図１７】
2010126981.tif 000019
【図１８】
2010126981.tif 000020